(57)【要約】【課題】埋設孔に強固に固定することができ、なおかつ埋設孔内や蓋の下部に結露しにくく、劣化も生じにくい害虫検出装置の埋設孔の孔蓋を提供する。【解決手段】本発明の孔蓋１は、埋設孔の上部を覆って閉蓋する閉蓋部材２と、閉蓋部材２の底面２ａに設けられた蓋固定機構３とを有し、蓋固定機構３は、埋設孔の孔内面に圧接する２以上の圧接点４ｄを有し、各圧接点４ｄは閉蓋部材２の中心に対して対称位置に配置され、各圧接点４ｄの閉蓋部材２の中心からの距離を変更することが可能とする構成とした。これにより、圧接点４ｄを点接触させて孔蓋１を埋設孔に固定できるため結露しにくくなり、ゴム部材を使用しないため劣化も生じにくい。【選択図】　　　　　図２
2004135553.tif 000002
【特許請求の範囲】
【請求項１】
害虫検出装置を埋設するために地面に掘削された埋設孔の上部を閉塞するのに用いられる害虫検出装置の埋設孔の孔蓋であって、
前記埋設孔の上部を覆って閉蓋する閉蓋部材と、
前記閉蓋部材の底面に設けられた蓋固定機構と、
を有し、
前記蓋固定機構は、前記埋設孔の孔内面に圧接する２以上の圧接点を有し、前記各圧接点は前記閉蓋部材の中心に対して対称位置に配置され、前記各圧接点の前記閉蓋部材の中心からの距離を変更することが可能であること
を特徴とする害虫検出装置の埋設孔の孔蓋。
【請求項２】
前記蓋固定機構は、
中央部が略Ｕ字型に湾曲され、両端部が中央部とは逆向きに反曲された形状に形成された板バネと、
前記閉蓋部材の中央部に穿孔されたネジ挿通孔に挿通して設けられた調整ネジと、
を有し、
前記板バネは、湾曲された中央部の凸起の先端部にネジ孔が穿孔されており、前記調整ネジを前記ネジ孔に螺合することにより前記閉蓋部材に固定されており、両端部が前記閉蓋部材の底面に摺動自在に当接した状態で両端部が互いに接近する方向に付勢されており、前記反曲された両端部の外側面において前記埋設孔の孔内面に圧接すること
を特徴とする請求項１記載の害虫検出装置の埋設孔の孔蓋。
【請求項３】
前記蓋固定機構は、
前記閉蓋部材の中央部に穿孔されたネジ挿通孔に挿通して設けられた調整ネジと、
前記調整ネジに螺着されたナットブロックと、
前記ネジ挿通孔の両側において前記閉蓋部材に回動自在に連結された一対の上部リンクアームと、
前記ナットブロックに回動自在に連結され、前記上部リンクアームの一端部に回動自在に連結された一対の下部リンクアームと、
を有し、
それぞれの前記上部リンクアームと前記下部リンクアームとの連結部において前記埋設孔の孔内面に圧接すること
を特徴とする請求項１記載の害虫検出装置の埋設孔の孔蓋。
【発明の詳細な説明】
【０００１】
【発明の属する技術分野】
本発明は、シロアリ等の害虫の接近を検出するための害虫検出装置を地中に設置するために地面に穿孔される埋設孔を閉蓋するために使用される害虫検出装置の埋設孔の孔蓋に関する。
【０００２】
【従来の技術】
シロアリ等の害虫は、地中にトンネルを掘りながら又は地上を這いながら移動し、木材等の餌を探して移動する。従って、木材等の害虫の餌となる構造物や樹木、作物等を害虫の被害から守るためには、害虫がこれらの構造物に接近したことを検出し、害虫が検出されると害虫駆除のための対策をとる必要がある。
【０００３】
このような地中を移動する害虫を検出するための害虫検出装置として、例えば、特許文献１〜６に記載されたような害虫検出装置が知られている。
【０００４】
このような従来の害虫検出装置では、害虫検出装置の内部に、餌木等の害虫の餌を収納し、害虫被害から守るべき構造物等の周囲の地面に埋設する。そして、定期的に、害虫検出装置の内部の餌を点検して、害虫が餌に取り憑いていないか否かを検出することで、害虫の接近を検出する。
【０００５】
害虫検出装置を設置する際には、予め害虫が通りやすい地面箇所を調査する。そして、その害虫の通りやすい箇所に埋設孔を穿孔して、害虫検出装置を確実に設置する。この際、害虫検出装置を設置する地面は土の地面の場合もあるが、コンクリート等で舗装された舗装地面の場合もある。
【０００６】
図６は従来の害虫検出装置を土の地面に設置した例を示す図、図７は従来の害虫検出装置を舗装地面に設置した例を示す図である。
【０００７】
図６において、害虫検出装置１００は、土の地面１０１の地表近くに穴を掘って埋め込まれる。そして、害虫検出装置１００内に砂泥、ゴミ、水等が入るのを防ぎ、第三者が害虫検出装置１００内の餌や毒餌に触れるのを防止し、かつ、害虫検出装置１００内を害虫の生息しやすい環境とするために、害虫検出装置１００の上部開口端は円板状の閉蓋部材１０２で閉蓋される。
【０００８】
また、図６（ａ）に示すように、地表に閉蓋部材が突出した形態で設置される場合もあるが、人の通行の多い場所の場合、人により蹴飛ばされる等により閉蓋部材に外部衝撃が加わる場合がある。その場合、閉蓋部材が外れたり、閉蓋部材や害虫検出装置が位置ずれを起こし又は破損したりする。従って、かかる場所に害虫検出装置１００を設置する場合には、図６（ｂ）に示すように、閉蓋部材１０２の上部が土中に埋もれるか、又は地表と略同じ高さとなるように害虫検出装置１００を土中に埋設する。
【０００９】
一方、舗装地面に害虫検出装置１００を設置する場合には、図７のような構成がとられる。すなわち、害虫検出装置１００を設置する前に、舗装地面１０３に円形の埋設孔１０３ａを穿孔し、更に舗装地面１０３の下の土の地面１０４に埋設孔を穿孔する。そして、土の地面１０４に害虫検出装置１００を埋設する。その後、舗装地面１０３に穿孔された埋設孔１０３ａの開口部に、孔蓋１０５を嵌め込んで埋設孔１０３ａを閉蓋する。孔蓋１０５の下部には、孔蓋１０５が埋設孔１０３ａから容易に抜け取れることがないように、埋設孔１０３ａに嵌合する嵌合凸起１０５ａが形成されている。この嵌合凸起１０５ａの周囲には、ゴム等のエラストマーが巻かれており、埋設孔１０３ａの孔内壁に密着するように構成される。
【００１０】
しかしながら、埋設孔１０３ａを穿孔する場合に、孔径が孔蓋１０５の嵌合凸起１０５ａの径と正確に一致するように穿孔するのは、事実上困難である。そこで、埋設孔１０３ａの孔径に合わせて、孔蓋１０５の嵌合凸起１０５ａの径を自在に調整し、孔蓋１０５が埋設孔１０３ａから容易に抜け取れないようにした孔蓋が開発されている（例えば、特許文献７〜９参照）。
【００１１】
図８は従来の害虫検出装置の埋設孔の孔蓋の一例を示す図である。
図８（ａ）に示すように、従来の害虫検出装置の埋設孔の孔蓋１０６は、埋設孔を閉蓋する円板状の閉蓋部材１０７と、閉蓋部材１０７の下部に設けられた蓋固定機構１０８とから構成されている。この蓋固定機構１０８は、閉蓋部材１０７の中心に穿孔されたネジ挿通孔に挿通された調整ネジ１０９、調整ネジ１０９の先端に螺着された円板状のナットブロック１１０、及び、閉蓋部材１０７とナットブロック１１０との間に嵌め付けられた円筒状の弾性部材からなるガスケット１１１により構成されている。ガスケット１１１の一端は、ナットブロック１１０により閉蓋部材１０７の底面に押圧されている。そして、調整ネジ１０９を回してナットブロック１１０を閉蓋部材１０７に接近させる方向に移動させると、ガスケット１１１は圧縮され、半径方向に撓曲し、ガスケット１１１の中央部が半径方向に膨出した形状となる。
【００１２】
そして、この孔蓋１０６を埋設孔１０３ａに開口部に設置する場合には、図８（ｂ）に示すように、まず、蓋固定機構１０８を埋設孔１０３ａに嵌合させ、閉蓋部材１０７で埋設孔１０３ａを閉蓋する。そして、調整ネジ１０９を回してガスケット１１１を圧縮し、ガスケット１１１の中央部を膨出させて埋設孔１０３ａの孔内壁を押圧する。これにより、孔蓋１０６は埋設孔１０３ａの孔壁に強固に固定され、閉蓋部材１０７が外部衝撃等により容易に抜け取れることが防止される。
【００１３】
【特許文献１】
特許３０２４６５１号明細書
【特許文献２】
特表２００１−５２０５１７号公報
【特許文献３】
米国特許第６３７０８１１号明細書
【特許文献４】
米国特許第５５５５６７２号明細書
【特許文献５】
米国特許第５９２７００１号明細書
【特許文献６】
米国特許第６０７１５２９号明細書
【特許文献７】
米国特許第５９２７０００号明細書
【特許文献８】
米国特許第６４５３６０３号明細書
【特許文献９】
米国特許第６３５７１７０号明細書
【００１４】
【発明が解決しようとする課題】
しかしながら、上記従来の害虫検出装置の埋設孔の孔蓋を使用した場合、埋設孔の孔内壁に蓋固定部材が面的に密着する。そのため、埋設孔の孔内壁と蓋固定部材との間の空気循環が完全に遮断される。一方、埋設孔の周囲の地面からは、土中水分が蒸発するため、埋設孔内の水蒸気圧は常に高い状態にある。従って、埋設孔内が完全に密閉されると、埋設孔内の空気の水蒸気圧は、容易に飽和水蒸気圧に達し、埋設孔の孔内壁と蓋固定部材の下部に結露する。そして、結露水は、害虫検出装置内に流れおちる。そのため、害虫検出装置内部に入れられた害虫の餌が簡単に腐朽したり、黴が繁殖したりして、餌の劣化が速められる。
【００１５】
また、害虫検出装置の底部に結露水が溜まると、害虫検出装置の底部に落ちた害虫が、結露水により溺死する場合も生じる。このように、害虫検出装置内に害虫の死骸が生じると、その死臭によって害虫が餌に寄りつきにくくなる。その結果、害虫検出装置が害虫を検出する確率が低下し、検出装置としての機能を充分に果たし得なくなる。
【００１６】
更に、ガスケットには、ゴム等のエラストマー部材が使用されるが、エラストマー部材は劣化が生じやすく、比較的短命である。従って、比較的頻繁にガスケットを取り替える必要があり、コストがかかるという問題もある。
【００１７】
そこで、本発明の目的は、埋設孔に強固に固定することができ、なおかつ埋設孔内や蓋の下部に結露しにくく、劣化も生じにくい害虫検出装置の埋設孔の孔蓋を提供することにある。
【００１８】
【課題を解決するための手段】
本発明の害虫検出装置の埋設孔の孔蓋は、害虫検出装置を埋設するために地面に掘削された埋設孔の上部を閉塞するのに用いられる害虫検出装置の埋設孔の孔蓋であって、前記埋設孔の上部を覆って閉蓋する閉蓋部材と、前記閉蓋部材の底面に設けられた蓋固定機構とを有し、前記蓋固定機構は、前記埋設孔の孔内面に圧接する２以上の圧接点を有し、前記各圧接点は前記閉蓋部材の中心に対して対称位置に配置され、前記各圧接点の前記閉蓋部材の中心からの距離を変更することが可能であることを特徴とする。
【００１９】
これにより、害虫検出装置を埋設するために地面に掘削された埋設孔の上部は、閉蓋部材によって閉蓋される。また、この閉蓋部材は、蓋固定機構により、圧接点が埋設孔の内壁面に圧接された状態で固定される。このとき、蓋固定機構は、各圧接点の閉蓋部材の中心からの距離を変更することが可能であるため、埋設孔の孔径に合わせて圧接点間の距離を調節することができる。
【００２０】
また、蓋固定機構は、埋設孔の孔内面に複数の圧接点で圧接されることによって固定され、ガスケットやパッキンのように面的に固定されるものではないため、埋設孔内の空気は蓋固定機構の上部に抜けることができる。そのため、埋設孔内の水蒸気圧が上昇すると、埋設孔内の空気は、閉蓋部材と地面との間を通って外気に放出されるため、埋設孔内の空気の水蒸気圧が飽和水蒸気圧までは達しにくくなる。従って、蓋固定機構や埋設孔の孔内面に露がつきにくい。
【００２１】
更に、蓋固定機構は、必ずしも、ガスケットやパッキンのように圧接部にゴム等のエラストマー部材を使用する必要はないため、圧接部のエラストマー部材が劣化して固定が不完全となったりする事態が防止でき、長寿命とすることができる。
【００２２】
ここで、閉蓋部材は、埋設孔を覆うものであれば、その形状については特に指定するものではない。しかし、埋設孔の入り口を孔蓋で閉蓋して孔蓋を設置した際に、閉蓋部材の上部が地面に突出して、通行の妨害となったり、突出した閉蓋部材に外部衝撃が加わって孔蓋が外れたり破損したりすることを防止するため、閉蓋部材として平板状のものを使用することが好ましい。
【００２３】
閉蓋部材の材質についても特に指定するものではない。しかしながら、劣化が生じにくい点を考慮すれば、ステンレス材により構成することが好ましい。
【００２４】
また、本発明において、前記蓋固定機構は、中央部が略Ｕ字型に湾曲され、両端部が中央部とは逆向きに反曲された形状に形成された板バネと、前記閉蓋部材の中央部に穿孔されたネジ挿通孔に挿通して設けられた調整ネジとを有し、前記板バネは、湾曲された中央部の凸起の先端部にネジ孔が穿孔されており、前記調整ネジを前記ネジ孔に螺合することにより前記閉蓋部材に固定されており、両端部が前記閉蓋部材の底面に摺動自在に当接した状態で両端部が互いに接近する方向に付勢されており、前記反曲された両端部の外側面において前記埋設孔の孔内面に圧接するように構成することができる。
【００２５】
これにより、孔蓋を埋設孔に設置する場合、まず、調整ネジを回して、湾曲された板バネ中央部の凸起の先端部を、閉蓋部材から離隔する方向に移動させる。板バネの両端部は、互いに接近する方向に付勢されているため、先端部を閉蓋部材から離隔する方向に移動させると、板バネの両端部は、閉蓋部材の底面上を摺動しながら互いに接近する。こうして、板バネの反曲された両端部の外側面の間隔を埋設孔の直径よりも狭くする。この状態で、蓋固定機構を埋設孔に挿入し、孔蓋を埋設孔の入り口に設置する。そして、調整ネジを回して、湾曲された板バネ中央部の凸起の先端部を、閉蓋部材に接近する方向に移動させる。そうすると、板バネの両端部は、閉蓋部材の底面上を摺動しながら互いに離隔する方向に移動する。そして、板バネの反曲された両端部の外側面が埋設孔の孔内面に圧接され、孔蓋が埋設孔の入り口に固定される。
【００２６】
このように、調整ネジを回すことで、埋設孔の孔径に合わせて板バネの反曲された両端部の外側面、すなわち、２つの圧接点の間隔を調整できる。また、孔蓋を埋設孔に設置した後に２つの圧接点の間隔を調整できるため、設置が容易で、両圧接点の間隔の調整も極めて容易である。
【００２７】
また、従来の孔蓋に比べ、両圧接点の間隔を調整可能な調整幅が大きく、埋設孔の径に比較的大きな誤差が生じても、孔蓋を強固に固定することができる。
【００２８】
更に、構造が極めて簡単であり、破損しにくい。また、製造コストも低廉とすることができる。
【００２９】
ここで、反曲された板バネ両端部の形状としては、板バネ両端部が閉蓋部材の底面を滑らかに摺動可能な形状であればよく、例えば、略Ｕ字型乃至略倒Ｃ字型若しくは略Ｖ字型とすることができる。
【００３０】
また、本発明において、前記蓋固定機構は、前記閉蓋部材の中央部に穿孔されたネジ挿通孔に挿通して設けられた調整ネジと、前記調整ネジに螺着されたナットブロックと、前記ネジ挿通孔の両側において前記閉蓋部材に回動自在に連結された一対の上部リンクアームと、前記ナットブロックに回動自在に連結され、前記上部リンクアームの一端部に回動自在に連結された一対の下部リンクアームとを有し、それぞれの前記上部リンクアームと前記下部リンクアームとの連結部において前記埋設孔の孔内面に圧接する構成とすることができる。
【００３１】
これにより、孔蓋を埋設孔に設置する場合、まず、調整ネジを回して、ナットブロックを閉蓋部材から離隔する方向に移動させる。これに伴い、パンタグラフ上に構成された上部リンクアームと下部リンクアームとの２つの連結部は、互いに接近する。こうして、両連結部の間隔を埋設孔の直径よりも狭くする。この状態で、蓋固定機構を埋設孔に挿入し、孔蓋を埋設孔の入り口に設置する。そして、調整ネジを回して、ナットブロックを、閉蓋部材に接近する方向に移動させる。そうすると、２つの連結部は、互いに離隔する方向に移動する。そして、両連結部が埋設孔の孔内面に圧接され、孔蓋が埋設孔の入り口に固定される。
【００３２】
このように、調整ネジを回すことで、埋設孔の孔径に合わせて上部リンクアームと下部リンクアームとの２つの連結部、すなわち、２つの圧接点の間隔を調整できる。また、孔蓋を埋設孔に設置した後に２つの圧接点の間隔を調整できるため、設置が容易で、両圧接点の間隔の調整も極めて容易である。
【００３３】
また、従来の害虫検出装置の埋設孔の孔蓋に比べ、両圧接点の間隔を調整可能な調整幅が大きく、埋設孔の径に比較的大きな誤差が生じても、孔蓋を強固に固定することができる。
【００３４】
【発明の実施の形態】
以下、本発明の一実施形態について、図面を参照しながら説明する。
【００３５】
（実施形態１）
図１は本発明の実施形態１に係る害虫検出装置の埋設孔の孔蓋の底面方向からみた斜視図、図２は本発明の実施形態１に係る害虫検出装置の埋設孔の孔蓋の側破断面図、図３は本発明の実施形態１に係る害虫検出装置の埋設孔の孔蓋の底面図である。
【００３６】
図１〜３において、本実施形態に係る害虫検出装置の埋設孔の孔蓋１は、埋設孔の開口部を覆って閉蓋する円板状の閉蓋部材２と、閉蓋部材２の底面部２ａに設けられた蓋固定機構３とを具備している。
【００３７】
閉蓋部材２の中心には、ネジ挿通孔２ｂが穿孔されている。そして、閉蓋部材２の底面２ａの円周部付近には、円環状のゴムパッキン２ｃが貼着されている。
【００３８】
一方、蓋固定機構３は、板バネ４、調整ネジ５、及びナット６によって構成される。板バネ４は、中央部４ａが略Ｕ字型に湾曲され、両端部４ｂ，４ｂが中央部とは逆向きに反曲された形状に形成されている。そして、両端部４ｂ，４ｂの外側面４ｄ，４ｂにはゴムパッキン４ｅが貼着されている。また、調整ネジ５は、閉蓋部材２の中央部に穿孔されたネジ挿通孔２ｂに挿通して設けられている。
【００３９】
また、板バネ４は、湾曲された中央部４ａの凸起の先端部にネジ孔４ｃが穿孔されており、調整ネジ５をネジ孔４ｃに螺合することにより閉蓋部材２に固定されている、そして、板バネ４が調整ネジ５から抜け落ちるのを防止するため、ナット６が調整ネジ５の先端付近に螺着されている。
【００４０】
また、板バネ４は、その両端部４ｂ，４ｂが閉蓋部材２の底面２ａに摺動自在に当接した状態で両端部４ｂ，４ｂが互いに接近する方向（図２の矢印Ａで示した方向）に付勢されている。そして、調整ネジ５を回した際に、板バネ４までもが攣られて回転するのを防止すべく、閉蓋部材２の底面２ａには、閉蓋部材２の中心に対して対称な位置に、一対の係止用突起２ｄが設けられている。
【００４１】
以上のように構成された本実施形態に係る害虫検出装置の埋設孔の孔蓋について、以下その設置方法及び作用について説明する。
【００４２】
図４は本発明の実施形態１に係る害虫検出装置及び孔蓋を埋設孔に設置した状態を示す図である。
図４において、円筒状の害虫検出装置７は、舗装地面８を貫通してその下部の土の地盤の内部にまで穿孔された円形の埋設孔１０の底部に設置される。そして、舗装地面８に開口した埋設孔１０の開口部は、孔蓋１により閉蓋される。
【００４３】
この孔蓋１を埋設孔１０の開口部に設置する場合、まず、調整ネジ５を回して、板バネ４の湾曲した両端部４ｂ，４ｂの外側面の間の距離が、埋設孔１０の直径よりも小さくなるように調整する。
【００４４】
すなわち、調整ネジ５を回して、板バネ４の中央部４ａのネジ孔４ｃが穿孔された凸起先端部を閉蓋部材２から離隔する方向に移動させる。そうすると、板バネ４の両端部４ｂ，４ｂは、互いに接近する方向（矢印Ａの方向）に付勢されているため、板バネ４の両端部４ｂ，４ｂは、閉蓋部材２の底面２ａ上を摺動しながら互いに接近する。こうして、板バネ４の両端部４ｂ，４ｂの外側面４ｄ，４ｄの間隔を埋設孔１０の直径よりも狭くする。
【００４５】
そして、この状態で、蓋固定機構３を埋設孔１０に挿入し、孔蓋１を埋設孔１０の開口部に設置する。
【００４６】
設置が終わると、次に、調整ネジ５を回して、板バネ４の中央部４ａのネジ孔４ｃが穿孔された凸起先端部を、閉蓋部材２に接近する方向に移動させる。そうすると、板バネ４の両端部４ｂ，４ｂは、閉蓋部材２の底面２ａ上を摺動しながら互いに離隔する方向に移動する。そして、板バネ４の両端部４ｂ，４ｂの外側面４ｄ，４ｄが埋設孔１０の孔内面に圧接され、孔蓋１が埋設孔１０の開口部に固定される。
【００４７】
すなわち、蓋固定機構３は、埋設孔１０の孔内面に圧接する２つ圧接点（両端部４ｂの外側面４ｄ）によって埋設孔１０の孔内面に固定される。このように、点接触で固定することにより、蓋固定機構３と埋設孔１０の孔内面との間を空気が自由に流れることができる。そのため、埋設孔１０内の空気の水蒸気圧が飽和水蒸気圧になりにくいため、蓋固定機構３や埋設孔１０の孔内面に露がつきにくい。
また、このとき両端部４ｂ，４ｂの外側面４ｄ，４ｄにはゴムパッキン４ｅ，４ｅが設けられているため、両端部４ｂ，４ｂが埋設孔１０の孔内面で滑ることが防止され、閉蓋部材２は埋設孔１０から容易に抜けなくなる。
【００４８】
尚、閉蓋部材２の底面２ａの円周部付近にゴムパッキン２ｃが貼着されているが、これは、雨が降ったときに、埋設孔１０内に雨水が流れ込むのを防止するために備えられているものである。しかし、ゴムパッキン２ｃがあっても、舗装地面８の地表面とゴムパッキン２ｃの底面の間は完全に密閉されるわけではなく、空気の流通は自由に行われる。従って、ゴムパッキン２ｃがあるがために、埋設孔１０内が結露しやすくなることはない。
【００４９】
（実施形態２）
図５は本発明の実施形態２に係る孔蓋を埋設孔に設置した状態を示す図である。
本実施形態の孔蓋１’においては、蓋固定機構３’は、閉蓋部材２の中央部に穿孔されたネジ挿通孔２ｂに挿通して設けられた調整ネジ５、調整ネジ５に螺着されたナットブロック２０、ネジ挿通孔２ｂの両側において閉蓋部材２に回動自在に連結された一対の上部リンクアーム２１、及び、ナットブロック２０に回動自在に連結され、上部リンクアーム２１の一端部に回動自在に連結された一対の下部リンクアーム２２により構成したものである。
【００５０】
そして、調整ネジ５を回してナットブロック２０を上下させることにより、パンタグラフ状に連結された一対の上部リンクアーム２１及び下部リンクアーム２０が伸縮する。したがって、調整ネジ５を回してナットブロック２０の位置を調整することで、それぞれの上部リンクアーム２１と下部リンクアーム２２との連結部２３を、埋設孔１０の孔内面に圧接させることができる。この場合にも、蓋固定機構３’は、埋設孔１０の孔内面に圧接する２つ圧接点（連結部２３，２３）によって埋設孔１０の孔内面に固定されることとなる。
【００５１】
【発明の効果】
以上のように、本発明によれば、埋設孔の孔径に合わせて圧接点間の距離を調節することができるため、地面に穿孔された埋設孔の径に誤差が生じても、確実に孔蓋を埋設孔に固定することができる。
【００５２】
また、蓋固定機構と埋設孔の孔内面との間に露がつきにくいため、露により蓋固定機構が劣化したり、露が流れ落ちて害虫検出装置内の餌が早期に劣化することが防止される。また、害虫検出装置の底部に溜まり、害虫がおぼれ死んで、その死臭により害虫が害虫検出装置を忌避するようになることが防止される。
【図面の簡単な説明】
【図１】本発明の実施形態１に係る害虫検出装置の埋設孔の孔蓋の底面方向からみた斜視図である。
【図２】本発明の実施形態１に係る害虫検出装置の埋設孔の孔蓋の側破断面図である。
【図３】本発明の実施形態１に係る害虫検出装置の埋設孔の孔蓋の底面図である。
【図４】本発明の実施形態１に係る害虫検出装置及び孔蓋を埋設孔に設置した状態を示す図である。
【図５】本発明の実施形態２に係る孔蓋を埋設孔に設置した状態を示す図である。
【図６】従来の害虫検出装置を土の地面に設置した例を示す図である。
【図７】従来の害虫検出装置を舗装地面に設置した例を示す図である。
【図８】従来の害虫検出装置の埋設孔の孔蓋の一例を示す図である。
【符号の説明】
１、１’　孔蓋
２　閉蓋部材
２ａ　底面
２ｂ　ネジ挿通孔
２ｃ　ゴムパッキン
２ｄ　係止用突起
３、３’　蓋固定機構
４　板バネ
４ａ　中央部
４ｂ　端部
４ｃ　ネジ孔
４ｄ　外側面
４ｅ　ゴムパッキン
５　調整ネジ
６　ナット
７　害虫検出装置
８　舗装地面
９　土の地盤
１０　埋設孔
２０　ナットブロック
１００　害虫検出装置
１０１　土の地面
１０２　閉蓋部材
１０３　舗装地面
１０３ａ　埋設孔
１０４　土の地面
１０５　孔蓋
１０５ａ　嵌合凸起
【図１】
2004135553.tif 000003
【図２】
2004135553.tif 000004
【図３】
2004135553.tif 000005
【図４】
2004135553.tif 000006
【図５】
2004135553.tif 000007
【図６】
2004135553.tif 000008
【図７】
2004135553.tif 000009
【図８】
2004135553.tif 000010